(57)【要約】【課題】テレビにてＷｅｂページを閲覧するには、閲覧したいＷｅｂページのＵＲＬをリモコン等に入力する必要がある。しかし、ＵＲＬは多数の文字等から構成され、ユーザにとってＵＲＬをリモコンに入力する作業は面倒なことである。【解決手段】リモコンに、当該リモコンの所定のキーと情報の情報元を識別する情報元識別子（ＵＲＬ）とを対応付けて記憶している情報元識別子記憶手段を備え、リモコンは所定のキーが押下されると、当該キーと対応付けられたＵＲＬが示すＷｅｂサイトへのアクセス命令をリモコンのテレビ等の被制御機器に送信する。【選択図】  図１
2006187018.tif 000002
【特許請求の範囲】
【請求項１】
情報元を識別する情報元識別子と情報元にアクセスする命令であるアクセス命令とを被制御装置に送信する送信命令の入力を受け付けるキーと、
前記情報元識別子と、前記情報元識別子に対応づけられているキーとからなる情報である対応関係情報を記憶している情報元識別子記憶手段と、
前記アクセス命令を記憶しているアクセス命令記憶手段と、
前記送信命令の入力を受け付けたキーに対応する前記情報元識別子記憶手段に記憶している情報元識別子と、前記アクセス命令記憶手段に記憶しているアクセス命令とを被制御装置に送信するデータ送信手段とを
備えたことを特徴とするリモコン。
【請求項２】
情報元を識別する情報元識別子と情報元にアクセスする命令であるアクセス命令とを被制御装置に送信する送信命令の入力を受け付けるキーと、
情報元を識別する情報元識別子を被制御装置から受信する情報元識別子受信手段と、
前記受信した情報元識別子と、前記情報元識別子とに対応づけられているキーとからなる情報である対応関係情報を格納する情報元識別子格納手段と、
情報元にアクセスする命令であるアクセス命令を記憶しているアクセス命令記憶手段と、
アクセス命令を入力したキ−に対応する前記情報元識別子格納手段が格納した情報元識別子と、前記アクセス命令記憶手段に記憶しているアクセス命令とを被制御装置に送信するデータ送信手段とを
備えたことを特徴とするリモコン。
【請求項３】
表示画面と、
情報元を識別する情報元識別子と、前記情報元識別子に対応づけられているキーとからなる情報である対応関係情報を記憶している情報元識別子記憶手段と、
情報元識別子記憶手段から前記対応関係情報を取得すると共に、取得した対応関係情報を前記表示画面に表示する表示手段とを備えたことを特徴とするリモコン。
【請求項４】
表示画面と、
情報元を識別する情報元識別子を記憶している情報元識別子記憶手段と、
前記情報元識別子記憶手段から情報元識別子を取得すると共に、取得した情報元識別子を前記表示画面に表示する表示手段とを備えたことを特徴とするリモコン。
【請求項５】
表示画面と、
情報元から送信された情報元情報を記憶している情報元情報記憶手段と、
前記情報元情報記憶手段から情報元情報を取得すると共に、取得した情報元情報の全部または一部を前記表示画面に表示する表示手段とを備えたことを特徴とするリモコン。
【請求項６】
表示画面と、
情報元を識別する情報元識別子に対応する補足情報を記憶している情報元識別子記憶手段と、
前記情報元情報記憶手段から補足情報を取得すると共に、取得した補足情報を前記表示画面に表示する表示手段とを備えたことを特徴とするリモコン。
【請求項７】
情報元を識別する情報元識別子に対応する情報元から情報元情報を取得する取得手段と、
前記情報元情報を表示する表示手段と、
リモコンから送信される命令であり、かつ、情報元にアクセスする命令に基づいて、前記情報元識別子をリモコンに送信する情報元識別子送信部とを備えたことを特徴とするテレビ。
【発明の詳細な説明】
【技術分野】
【０００１】
本発明は、リモコン及びリモコンにて操作されるテレビに関する。
【背景技術】
【０００２】
近年、テレビのデジタル放送が開始され、このデジタル放送は、映像・音声の電波以外にデータ放送用の電波も送出し、テレビに“インタラクティブ性”を持たせている。
【０００３】
例えば、セット・トップ・ボックスを搭載したテレビでは、インターネットに接続することができ、ユーザはテレビを利用してネットサーフィンを楽しむことができるようになっている。
【０００４】
ユーザがテレビを利用してネットサーフィンを行う場合、まずユーザは閲覧したいＷｅｂページのＵＲＬ（Uniform Resource Locator）をテレビのリモコン等に入力し、入力したＵＲＬをテレビに送信する。一方、テレビはリモコンから送信されたＵＲＬを受信すると、受信したＵＲＬが割り当てられているＷｅｂページにアクセスして、Ｗｅｂページの情報をテレビ画面に表示するようになっている。
【発明の開示】
【発明が解決しようとする課題】
【０００５】
上記のようにユーザはテレビにて所定のＷｅｂページを閲覧するには、閲覧したいＷｅｂページのＵＲＬをリモコン等に入力する必要がある。
【０００６】
しかし、ＵＲＬは多数の文字等から構成され、ユーザにとってＵＲＬをリモコンに入力する作業は面倒なことである。
【０００７】
また、一般的にリモコンに備えられているキーの数は少なく、キーボードのように各アルファベットに対応するキーが備えられているものでもない。そのため、リモコンに設けられたキーでＵＲＬを入力するには非常に複雑なキー操作が必要となる。
【０００８】
更に、インターネットが発達した現在では膨大な数のＵＲＬが存在し、ユーザは各Ｗｅｂページに対応したＵＲＬを覚えることは現実的に不可能である。そのために、ユーザは所望のＷｅｂページを閲覧する際には、当該ＷｅｂページのＵＲＬを調べるという面倒な作業をしなければならない。
【０００９】
本発明は、上記従来の事情に基づいて提案されたものであって、簡単なキー操作で長い文字列からなるＵＲＬ等のデータを指定することができるリモコンを提供することを目的とする。
【課題を解決するための手段】
【００１０】
本発明は、上記目的を達成するために以下の手段を採用している。即ち、本発明のリモコン１００は図１に示すように、情報の情報元を識別する情報元識別子を記憶している情報元識別子記憶手段１０１と、情報元識別子にて識別される情報の情報元にアクセスする命令であるアクセス命令を記憶しているアクセス命令記憶手段１０２とを備えている。
【００１１】
上記情報元識別子とは、例えばＵＲＬやＩＰアドレス（Internet Protocol Address）等、Ｗｅｂページを特定するための識別子である。
【００１２】
更に、リモコン１００にはデータ送信条件情報記憶手段１０３が備えられ、該データ送信条件情報記憶手段１０３には上記情報元識別子と上記アクセス命令とを被制御装置２００に送信する条件の情報であるデータ送信条件情報が記憶されている。
【００１３】
前記データ送信条件情報がデータ送信条件情報記憶手段１０３に記憶されている状態で、リモコン１００の使用環境が当該データ送信条件を満たすと、前記情報元識別子とアクセス命令とはデータ送信手段１０４によって被制御装置２００に送信されるようになる。
【００１４】
上記被制御装置２００は上記データ送信手段１０４から送信された情報元識別子とアクセス命令とを受信すると、受信した情報元識別子にて識別される情報元にアクセスし、情報元から情報を取得して、情報を被制御装置２００の表示画面に表示するようになる。
【００１５】
以上のように、リモコン１００の使用環境が上記データ送信条件情報を満たすと、ユーザはリモコンの操作を行わなくても、被制御装置２００の表示画面には情報元識別子にて識別される情報元から取得された情報が表示されるようになる。
【００１６】
また、上記情報元識別子記憶手段１０１には、情報元識別子と当該情報元識別子を指定するためのキーとの対応関係である対応関係情報を記憶するようにしてもよい。
【００１７】
このように上記情報元識別子記憶手段１０１に対応関係情報が記憶されている状態で、対応関係情報に含まれている所定のキーが操作されると、上記データ送信手段１０４は操作されたキーと対応する情報元識別子を上記対応関係情報を参照して上記情報元識別子記憶手段１０１から取得する。更に、データ送信手段１０４は前記アクセス命令記憶手段１０２からアクセス命令を取得して、情報元識別子とアクセス命令とを被制御装置２００に送信するようになる。
【００１８】
従って、ユーザは対応関係情報に含まれるキーを操作することで、所定の情報元識別子をアクセス命令とともに上記被制御装置に送信することができる。
【００１９】
また、上記情報元識別子は被制御装置２００からリモコンに送信されることもある。この場合、被制御装置２００から送信された情報元識別子を情報元識別子受信手段１０５が受信すると、ユーザは当該情報元識別子に対応する上記データ送信条件情報を設定することができる。
【００２０】
ここでユーザにて設定されたデータ送信条件情報は情報元識別子と対応付けられて上記データ送信条件情報記憶手段１０３に記憶され、一方、情報元識別子を情報元識別子格納手段１０６にてリモコン内に格納することになる。
【００２１】
ここで、リモコン１００の使用環境がユーザに設定されたデータ送信条件を満たすと、上記データ送信手段１０４は上記情報元識別子格納手段１０６にて格納された情報元識別子と、アクセス命令記憶手段１０２からアクセス命令とを取得し、取得した情報元識別子とアクセス命令とを被制御装置２００に送信するようになる。
【００２２】
また、ユーザは情報元識別子受信手段１０５が情報元識別子を受信すると、データ送信条件情報を設定する作業とは別に、当該情報元識別子と当該情報元識別子を指定するためのキーとからなる対応関係情報を作成することもできる。
【００２３】
ユーザが対応関係情報を作成すると、対応関係情報は上記情報元識別子格納手段１０６にてリモコン１００内に格納される。この対応関係情報が上記情報元識別子格納手段１０６にて格納された後に、ユーザが対応関係情報に含まれるキーを操作すると、上記データ送信手段１０４は操作されたキーと対応する情報元識別子をリモコン１００内に格納された上記対応関係情報を参照して、操作されたキーと対応する情報元識別子を取得する。続いて、上記データ送信手段１０４は、上記アクセス命令記憶手段１０２からアクセス命令を取得して、情報元識別子とアクセス命令とを被制御装置２００に送信するようになる。
【発明の効果】
【００２４】
以上の構成を採用することにより、記憶手段にＵＲＬと所定のキー操作とを対応付けて記憶させておくで、ユーザは簡単なキー操作を行うだけで、所望のＵＲＬを指定することができるようになる。
【００２５】
また、リモコンに切換手段を設けることで同一のキーで複数のＵＲＬを指定することができる。
【００２６】
リモコンに記憶されたＵＲＬと該ＵＲＬを指定するためのキーとの対応関係がわかるような表示を表示画面に表示することで、ユーザはＵＲＬと該ＵＲＬを指定するためのキーを認識することができるようになる。
【発明を実施するための最良の形態】
【００２７】
本発明のリモコン１００の被制御装置２００がインターネット接続機能を備えたテレビ３００である場合、リモコン１００からテレビ３００にＵＲＬ等の情報識別子と、ＵＲＬにて識別されるＷｅｂサイトにテレビ３００をアクセスさせるアクセス命令とが送信されると、テレビ３００はＵＲＬに基づいてＷｅｂサイトにアクセスする。テレビ３００はＷｅｂサイトにアクセスすると、当該Ｗｅｂサイトのコンテンツを表示画面に表示するようになる。
【００２８】
本発明のリモコン１００は、以下に示すように簡単な操作を行うだけで、ユーザは所望の情報元識別子を指定することができるようになっている。
【００２９】
（実施の形態１）
図２に示すように、リモコン１００にはＵＲＬを記憶している情報元識別子記憶手段１０１とアクセス命令を記憶しているアクセス命令記憶手段１０２とが備えられている。情報元識別子記憶手段１０１にはＩＰアドレス等のＵＲＬ以外の情報元識別子を記憶することもあるが、本実施の形態においては説明のためにＵＲＬのみが記憶されていることとする。
【００３０】
また、リモコン１００には情報元識別子記憶手段１０１に記憶されているＵＲＬをテレビ３００に送信するための条件であるデータ送信条件情報を記憶しているデータ送信条件情報記憶手段１０３が備えられている。このデータ送信条件情報はユーザがＵＲＬ毎に設定できるようになっている。
【００３１】
このデータ送信条件情報の設定は、ユーザは図３に示すようにリモコン１００に設けられたモード変換キー１１３を１回押下する。すると対応付手段１０７は、図４（ａ）に示すようにリモコン１００の表示画面１１１に前記情報元識別子記憶手段１０１に記憶されているＵＲＬを取得し、取得したＵＲＬの一覧とポインタ１１８とを表示する。この状態でユーザはカーソルキー１１２を操作して、表示画面１１１に表示されているポインタ１１８をデータ送信条件情報の設定を行うＵＲＬ４０１が表示されている位置に移動させ、決定キー１１４を押下する。
【００３２】
決定キー１１４が押下されると、上記対応付手段１０７はＵＲＬ４０１がデータ送信条件情報の設定の対象となるＵＲＬと認識する。
【００３３】
上記対応付手段１０７はデータ送信条件情報の設定の対象となるＵＲＬと認識すると、図４（ｂ）に示すように表示画面１１１にデータ送信条件情報を入力する画面を表示する。ここでユーザはデータ送信条件情報の時間を入力することができる時間入力欄１２１にカーソルキー１１２を用いてポインタ１１８を移動させ、決定キー１１４を押下する。
【００３４】
ここで決定キー１１４が押下されると、テンキー１１５にてデータ送信条件情報の時間が入力できる状態となり、ここでユーザがテンキー１１５を「０・７・０・０」の順に押下すると、時間入力欄１２１に「７：００」と表示される。
【００３５】
時間入力欄１２１に時間が表示された後、ユーザがデータ送信条件情報の日付を指定することができる日付入力欄１２２にポインタ１１８を移動させて決定キー１１４を押下すると、データ送信条件情報の日付を入力することができる状態となる。ここで、ユーザがテンキー１１５を用いてデータ送信条件の日付を入力し、決定キー１１４を押下する。
【００３６】
ユーザはデータ送信条件情報の日付を入力すると、設定終了ボタン１２４が表示されている位置にポインタ１１８を移動させて決定キー１１４を押下する。また、データ送信条件情報を毎日午前７時とする場合には、例えば日付入力欄１２２に日付を入力しないで設定終了ボタン１２４が表示されている位置にポインタ１１８を移動させて決定キー１１４を押下するようにする。
【００３７】
上記対応付手段１０７はポインタ１１８が設定終了ボタン１２４が表示されている位置にある状態で決定キー１１４が押下されると、データ送信条件情報の入力が完了したものとして認識する。
【００３８】
上記対応付手段１０７は、データ送信条件情報の入力が完了したものとして認識すると、データ送信条件情報の設定の対象となるＵＲＬ４０１が記憶されている領域と毎日午前７時とを対応付けて上記データ送信条件情報記憶手段１０３に設定する。
【００３９】
このように上記データ送信条件情報記憶手段１０３に記憶されたデータ送信条件情報は、データ送信手段１０４が例えば常時又は任意の間隔で参照し、リモコン１００の使用環境を満たすデータ送信条件情報があるか否かのチェックを行っている。
【００４０】
例えば上記送信条件情報記憶手段１０３に毎日午前７時というデータ送信条件情報が記憶されると、上記データ送信手段１０４は午前７時になると当該データ送信条件情報に付加されているＵＲＬが記憶されている領域を認識し、ＵＲＬを取得する。
【００４１】
更に、上記データ送信手段１０４はリモコン１００の使用環境がデータ送信条件情報を満たすとＵＲＬを取得する処理と別に、上記アクセス命令記憶手段１０２から上記アクセス命令を取得する。
【００４２】
上記データ送信手段１０４はＵＲＬとアクセス命令との両方を取得すると、取得したＵＲＬとアクセス命令とをテレビ３００に送信する。
【００４３】
テレビ３００はリモコン１００から送信されたＵＲＬとアクセス命令とを受信すると、受信したＵＲＬにて識別されるＷｅｂサイトにアクセスし、Ｗｅｂサイトの画像等のコンテンツを情報元情報として取得し、表示画面２０１に表示する。
【００４４】
以上のように、上記データ送信条件記憶手段１０３にデータ送信条件情報を設定しておくことで、リモコン１００の使用環境がデータ送信条件情報を満たすとユーザはリモコン１００を操作しなくても、テレビ３００の表示画面にＷｅｂサイトのコンテンツが表示されるようになる。
【００４５】
（実施の形態２）
本実施の形態においては、ユーザが簡単なリモコン操作を行うことで、情報元識別子記憶手段１０１に記憶されているＵＲＬとアクセス命令記憶手段１０２に記憶されている上記アクセス命令とがテレビ３００に送信される場合について説明する。
【００４６】
まず、ユーザは上記モード変換キー１１３を２回つづけて押下すると、上記対応付手段１０７は図４（ａ）に示すように上記情報元識別子記憶手段１０１に記憶されているＵＲＬとポインタ１１８とを上記表示画面１１１に表示する。
【００４７】
表示画面１１１にＵＲＬとポインタ１１８とが表示されている状態で、ユーザはカーソルキー１１２を操作して、所定のＵＲＬが表示されている領域にポインタ１１８を移動させ、決定キー１１４を押下する。
【００４８】
決定キー１１４が押下されると、図５に示すように上記対応付手段１０７は決定キー１１４が押下された際に、ポインタ１１８が指し示していたＵＲＬを指定するためのキーを入力する入力欄５０１を表示する。
【００４９】
ここでユーザは例えばテンキー１１５の「０」を押下して入力欄５０１に「０」を入力して、決定キー１１４を押下する。決定キーが押下されると、上記対応付手段１０７は図４（ａ）に示す画面にて選択したＵＲＬと入力欄５０１に入力された「０」とを対応付けた対応関係情報６０１を作成し、図６に示すように該対応関係情報６０１を上記情報元識別子記憶手段１０１に記憶させる。
【００５０】
この後、ユーザが例えば図３に示す短縮キー１１６を押下すると、上記データ送信手段１０４が起動する。続いてユーザが対応関係情報に含まれる所定のキー、例えば「０」を押下すると、上記データ送信手段１０４は上記情報元識別子記憶手段１０１に記憶されている対応関係情報を参照して、「０」と対応付けて記憶されているＵＲＬを検索する。データ送信手段１０４は該検索に該当するＵＲＬを上記情報元識別子記憶手段１０１から取得する。
【００５１】
また、上記データ送信手段１０４はＵＲＬを取得する処理とは別に、短縮キー１１６が入力されると、ＵＲＬを取得する処理とは別に、上記アクセス命令記憶手段１０２からアクセス命令を取得する。
【００５２】
データ送信手段１０４は情報元識別子とアクセス命令とを取得すると、取得した情報元識別子とアクセス命令とをテレビ３００に送信する。
【００５３】
テレビ３００はリモコン１００から送信されたＵＲＬとアクセス命令とを受信すると、受信したＵＲＬにて識別されるＷｅｂサイトにアクセスし、Ｗｅｂサイトから情報元情報を取得し、表示画面２０１に情報元情報を表示するようになる。
【００５４】
以上のようにユーザは、短縮キー１１６と入力欄５０１に入力したキー（ここでは「０」）を押下するだけで、所定のＵＲＬを指定できるようになる。
【００５５】
尚、上記情報識別子記憶手段１０１はリモコン１００に内臓されている不揮発性メモリからであっても、またリモコン１００に着脱可能である不揮発性メモリであってもよい。ＵＲＬの入力命令を１つのキーを割り当てて行っているが、例えばカーソルキー１１２のようなキーを複数回操作することにより入力される命令を、１つのキーを割り当てて行えるようにしてもよい。
【００５６】
（実施の形態３）
ところで、以上では予め情報識別子記憶手段１０１に記憶されているＵＲＬのデータ送信条件情報及び対応関係情報を作成する場合について説明したが、ＵＲＬが外部からリモコン１００に入力されると、ユーザが当該ＵＲＬのデータ送信条件情報及び対応関係情報を作成することができるようにしてもよい。
【００５７】
ＵＲＬが外部から入力される場合としては、例えばユーザがテレビ３００に表示されているＵＲＬの取得要求をテレビ３００に送信することで、テレビ３００からＵＲＬが送信される場合がある。
【００５８】
具体的には、テレビに番組が表示されている状態で、ユーザがリモコン１００の所定のキー、例えばカーソルキー１１２が押下すると、リモコン１００はテレビ３００にポインタ３０２の表示を指示する信号を送信する。
【００５９】
図７（ａ）に示すようにテレビ３００の表示制御手段３２２はリモコンからの信号を受け取ると、テレビ画面の所定の位置にポインタ３０２を表示する。このポインタ３０２はリモコン１００のカーソルキー１１２が押下されることでテレビ画面上を動くようになっている。
【００６０】
ここでテレビ３００には番組と共に例えばスポーツの試合結果速報や天気予報等を提供するいくつかのＷｅｂサイトのＵＲＬが表示されている。ここでユーザは天気予報を提供するＷｅｂサイトを閲覧したい場合、カーソルキー１１２を操作して、ＵＲＬ３１３が表示されている領域にポインタ３０２を合わせて決定キー１１４を押下する。
【００６１】
決定キー１１４が押下されると、リモコン１００に備えられたデータ送信手段１０４はテレビ３００に対して、ポインタ３０２が指し示している領域に表示されているＵＲＬの取得要求と、該取得要求の対象となるＵＲＬが割当てられたＷｅｂサイトに対してのアクセス命令とを送信する。
【００６２】
テレビ３００に備えられた表示制御手段３２２は、リモコン１００から送信されたＵＲＬの取得要求とアクセス命令とを受信すると、ポインタ３０２が指し示している領域に表示されている内容、即ちここではＵＲＬ３１３を認識する。
【００６３】
次に表示制御手段３２２はＵＲＬ３１３を認識すると、取得手段３２１に対してＵＲＬ３１３が割り当てられているＷｅｂサイトにアクセスするように指示する。取得手段３２１はＵＲＬ３１３が割り当てられたＷｅｂサイトにアクセスすると、当該Ｗｅｂサイトが提供するコンテンツ（以下、「情報元情報」という）を取得する。
【００６４】
取得手段３２１は取得した情報元情報を表示制御手段３２２に転送し、表示制御手段３２２は受け取った情報元情報を表示手段３２０に転送し、表示手段３２０に情報元識別子をテレビ画面に表示するよう指示する。
【００６５】
これによりユーザは、天気予報を提供するＷｅｂサイトをテレビ３００にて見ることができる。
【００６６】
また、表示制御手段３２２はテレビ画面に情報元情報を表示する処理とは別に、リモコンからのＵＲＬの取得要求に基づいてＵＲＬ３１３を情報元識別子送信手段３２３に転送する。該情報元識別子送信手段３２３はＵＲＬ３１３を表示制御手段３２２から受け取ると、ＵＲＬ３１３をリモコン１００に送信する。
【００６７】
リモコン１００はテレビ３００から送信されたＵＲＬ３１３を、情報元識別子受信手段１０５にて受信する。そして、情報元識別子受信手段１０５が受信したＵＲＬ３１３を、情報元識別子格納手段１０６に格納する。更に、上記情報元識別子受信手段１０５は情報元識別子格納手段１０６にＵＲＬを格納すると、上記対応手段１０７に格納した旨を通知する。上記対応付手段１０７は該通知があると、図８（ａ）に示すように表示画面１１１に情報元識別子格納手段１０６が格納したＵＲＬ３１３のデータ送信条件情報を作成するか否かをユーザに選択させる画面を表示する。
【００６８】
ここでユーザがデータ送信条件情報を作成することを選択すると、上記対応付手段１０７は表示画面１１１にデータ送信条件情報を入力するための表示を表示し、ここでユーザは実施の形態１に記載のようにしてデータ送信条件情報を入力する。
【００６９】
対応付手段１０７は上記情報元識別子格納手段１０６が格納したＵＲＬ３１３を受け取ると、ＵＲＬ３１３のデータ送信条件情報と格納したＵＲＬ３１３とを対応付けて上記データ送信条件情報記憶手段１０３に登録する。
【００７０】
このようにして登録されたＵＲＬ３１３のデータ送信条件情報はデータ送信手段１０４にて参照される。リモコン１００の使用環境が当該データ送信条情報を満たすと、データ送信手段１０４は上記のようにしてテレビ３００にＵＲＬ３１３とアクセス命令とを送信するようになる。
【００７１】
また、データ送信条件情報の入力が完了、又は図８（ａ）に示す画面が表示されている状態でユーザがデータ送信条件情報の作成を拒否すると、上記対応付手段１０７は図８（ｂ）に示すように表示画面１１１にＵＲＬ３１３の対応関係情報を作成するか否かをユーザに選択させる画面を表示する。
【００７２】
ここでユーザが対応関係情報を作成することを選択すると、上記対応付手段１０７は図５に示すように表示画面１１１にＵＲＬ３１３を指定するためのキーを入力する入力欄５０１を表示する。ここで、ユーザは実施の形態２に記載のようにして例えば「１」を入力し、決定キー１１４を押下する。
【００７３】
決定キー１１４が押下されると、上記対応付手段１０７は対応関係情報が入力されたことを上記情報元識別子格納手段１０６に通知する。上記情報元識別子格納手段１０６は該通知を受け取ると、ＵＲＬ３１３と入力欄５０１にて入力されたキー、ここでは「１」とを対応づけた対応関係情報を上記情報識別子記憶手段１０１等のリモコン内に備えられた不揮発性メモリ等に格納する。
【００７４】
このように、テレビ３００から送信されたＵＲＬ３１３の対応関係情報が格納された後に、ユーザは短縮キー１１６を押下し、更にテンキー１１５「１」を押下すると、上記データ送信手段１０４はリモコン１００内に備えられた不揮発性メモリ等にある対応関係情報から「１」に対応するＵＲＬを検索する。
【００７５】
データ送信手段１０４は検索に該当するＵＲＬ、即ちＵＲＬ３１３をリモコン１００内に備えられた不揮発性メモリ等から検出すると、アクセス命令記憶手段１０２からアクセス命令を取得し、ＵＲＬ３１３とアクセス命令とをテレビ３００に送信する。
【００７６】
以上のように、ユーザはＵＲＬがリモコン１００に入力されたとき、当該ＵＲＬのデータ送信条件情報や対応関係情報を作成することができる。
【００７７】
（実施の形態４）
実施の形態３では、上記対応付手段１０７は上記情報元識別子受信手段１０５にＵＲＬが受信される度に、表示画面１１１にデータ送信条件情報及び対応関係情報を作成するか否かをユーザに選択させる画面を表示していた。
【００７８】
しかし、稀に閲覧するようなＷｅｂサイトのＵＲＬに対して、データ送信条件情報や対応関係情報を作成するメリットはほとんどない。
【００７９】
そこで、データ送信条件情報及び対応関係情報を作成する対象となるＵＲＬは、ユーザが頻繁に閲覧するサイトのＵＲＬに限定するようにする。
【００８０】
この場合、上記のようにテレビ３００から送信されたＵＲＬを情報元識別子受信手段１０５が受信した受信回数をＵＲＬ毎にカウントするカウント手段１０８を設けておくようにする。
【００８１】
このカウント手段１０８は情報元識別子受信手段１０５にて受信されたＵＲＬを認識して、ＵＲＬ毎の受信回数をカウントするようになっている。
【００８２】
カウント手段１０８は受信回数が一定数以上となったＵＲＬを上記対応付手段１０７に転送する。上記対応付手段１０７はＵＲＬを受け取ると、実施の形態３のようにして受け取ったＵＲＬのデータ送信条件情報及び対応関係情報を作成する手順に移行するようになる。
【００８３】
また、カウント手段１０８はＵＲＬが上記情報元識別子受信手段１０５に受信されたＵＲＬ毎の受信回数と共にＵＲＬが受信された受信日時を記憶し、所定の期間内、例えば過去１箇月の間に上記情報元識別子受信手段１０５に受信された受信回数が一定数以上になったＵＲＬのみを上記対応付手段１０７に送信するようにしてもよい。
【００８４】
このようにユーザが頻繁に閲覧するＷｅｂページのＵＲＬのみが対応付手段１０７に転送されるため、対応付手段１０７はユーザが稀しか閲覧しないＷｅｂサイトのＵＲＬに対するデータ送信条件情報及び対応関係情報の作成をするか否かを選択するための表示を行うことがなくなる。
【００８５】
（実施の形態５）
リモコン１００は複数のユーザで共有することがあり、その場合、各キーとＵＲＬとの対応関係は、ユーザ毎に作成することができるようにしても良い。
【００８６】
その場合、リモコン１００に現在リモコンを使用しているユーザを識別するために、例えばリモコン１００の所定位置に指紋検出手段（図示しない）を備えるようにしておく。
【００８７】
上記対応付手段１０７は上記のように対応関係情報を作成する際に、図５に示す画面を表示する直前に、リモコン１００のユーザに対して指紋検出手段に指を押し当てるよう促す表示を行う。
【００８８】
ユーザは表示に従ってリモコン１００に備えられた指紋検出手段に指を押し当てて、指紋検出手段が指紋を検出したことをユーザ識別情報取得部１１０が検知すると、ユーザ識別情報取得部１１０は上記対応付手段１０７に対して図５に示す入力欄５０１を表示画面１１１に表示するよう指示する。
【００８９】
ユーザが上記のようにして入力欄５０１にキーを入力すると、対応付手段１０７は図９に示すように、入力欄５０１に入力されたキー１００２とＵＲＬ１００１とを対応付けた対応関係情報１００３を作成すると共に該対応関係情報１００３に指紋の形状の情報１００４を付加するようにする。
【００９０】
上記対応付手段１０７は対応関係情報１００３の作成の対象となっているＵＲＬ１００１が上記情報元識別子記憶手段１０１に予め記憶されているＵＲＬである場合、指紋の形状の情報１００４が付加された対応関係情報１００３を上記情報識別子記憶手段１０１に記憶させるようにする。
【００９１】
また、対応関係情報１００３の作成の対象となるＵＲＬがテレビ３００から送信されたＵＲＬである場合は、上記対応付手段１０７は指紋の形状の情報１００４が付加された対応関係情報１００３を上記情報元識別子格納手段１０６に転送し、情報元識別子格納手段１０６がリモコン１００内に備えられた不揮発性メモリに格納するようにする。
【００９２】
以上のように、指紋の形状の情報が付加された対応関係情報がリモコン１００内に記憶されていると、リモコン１００の各ユーザはリモコン１００を使用する際に、まず上記指紋検出手段が指紋を認識できるように指紋を検出する位置に指を押し当てる。
【００９３】
ここでユーザ識別情報取得部１１０は指紋検出手段が指紋を検出したことを検知すると、ユーザ識別情報取得部１１０は指紋検出手段から指紋の形状の情報を取得し、切換手段１０９に指紋の形状の情報を転送する。
【００９４】
切換手段１０９は指紋の形状の情報を受け取ると、受け取った指紋の形状の情報と一致する指紋の形状の情報１００４が付加された対応関係情報を検索し、この検索に該当した対応関係情報を有効対応関係情報と認識する。
【００９５】
切換手段１０９が有効対応関係情報を認識した後に、ユーザが短縮キー１１６を押下し、有効対応関係情報に含まれるキー、例えば「３」を押下すると、上記データ送信手段１０４は有効対応関係情報の中から「３」と対応付けられているＵＲＬを取得する。
【００９６】
上記データ送信手段１０４はＵＲＬを取得すると、上記アクセス命令記憶手段１０２からアクセス命令を取得し、取得したＵＲＬとアクセス命令とをテレビ３００に送信するようになる。
【００９７】
尚上記ユーザ情報取得手段１０９は指紋でリモコン１００を使用するユーザを識別するようにしているが、識別方法は、声紋等を用いてもよいことは言うまでもない。
【００９８】
（実施の形態６）
以上のようにして対応関係情報を作成すると、ユーザは自分が入力欄５０１に入力したキーを押下することで、所定のＵＲＬを指定することができるようになる。しかし、多数の対応関係情報を作成すると、ユーザは所定ＵＲＬがどのキーと対応しているのか把握することが困難となる。
【００９９】
そこで、図６に示す対応関係情報を表示画面１１１に表示する機能をリモコン１００に設けるようにしておく。
【０１００】
このような表示を表示画面１１１に表示させる手順としては、例えば、まずユーザはモード変換キー１１３を３回押下し、続いて決定キー１１４を押下する。すると、リモコン１００に設けられた表示手段１２１は上記情報元識別子記憶手段１０１に記憶されている対応関係情報を取得して、表示画面１１１に対応関係情報を表す一覧表を表示する。
【０１０１】
このような一覧表を表示画面１１１に表示することで、ユーザは表示画面１１１を参照するとＵＲＬとキーとの対応関係を確認することができる。
【０１０２】
尚、表示手段１２１はこのような表示をリモコン１００の表示画面１１１に表示するだけでなく、テレビ３００に表示するようにしてもよい。その場合、表示手段１２１は上記情報元識別子記憶手段１０１から対応関係情報を取得すると、表示画面１１１に一覧表を表示すると共に、テレビ３００に一覧表の表示命令を送信するようにする。
【０１０３】
又、表示手段１２１にて表示画面１１１に表示される内容は、ＵＲＬとキー操作以外に、例えば当該ＵＲＬが割り当てられているＷｅｂサイトの情報元情報や、当該ＵＲＬが割り当てられているＷｅｂサイトの内容を連想することができる補足情報であってもよい。
【０１０４】
上記補足情報とは例えばＷｅｂページが提供する情報の内容やＷｅｂページの管理者等の名称等である。
【０１０５】
この補足情報が表示手段１２１にて表示されるためには予め上記情報元識別子記憶手段１０１にて補足情報とＵＲＬとが対応付けられて記憶されていることが必要である。そこで、補足情報とＵＲＬとの対応付けは、例えば上記対応付手段１０７が行うようにする。
【０１０６】
即ち、上記対応付手段１０７は図５に示す入力欄５０１を表示する画面において、補足情報を入力する補足情報入力欄を表示するようにし、ユーザはこの補足情報入力欄に補足情報を入力することができる。
【０１０７】
ここで入力された補足情報は、上記対応付手段１０７によって入力欄５０１に入力されたキーと補足情報の付与の対象となるＵＲＬとに対応付けられて、情報元識別子記憶手段１０１に記憶されるようになる。
【０１０８】
また、情報元情報が表示手段１２１にて表示されるようにする場合にも、予め上記情報元識別子記憶手段１０１に情報元情報とＵＲＬとが対応付けられて記憶されていることが必要である。
【０１０９】
そこで、予め補足情報とＵＲＬとを対応付けて上記情報元識別子記憶手段１０１に記憶させるために、例えば実施の形態３において、データ送信手段１０４がテレビ３００に対して、ＵＲＬの取得要求と、アクセス命令とを送信する際に、データ送信手段１０４はＵＲＬの取得要求の対象となるＷｅｂサイトの情報元情報取得要求を送信するようにする。
【０１１０】
テレビ３００に備えられた表示制御手段３２２は、リモコンから送信されたＵＲＬの取得要求と、アクセス命令と情報元情報取得要求を受信すると、まず上記のようにしてＵＲＬ３１３認識する。
【０１１１】
次に表示制御手段３２２は取得手段３２１にＵＲＬ３１３を用いてＷｅｂサイトにアクセスするように指示し、取得手段３２１は表示制御手段３２２の指示に従ってＷｅｂサイトにアクセスする。取得手段３２１はＷｅｂサイトにアクセスすると、当該Ｗｅｂの情報元情報を取得して表示制御手段３２２に転送する。
【０１１２】
表示制御手段３２２は情報元情報を受け取ると、情報元情報をテレビ画面に表示すると共に、リモコン１００にＵＲＬと情報元情報を転送する。
【０１１３】
情報元識別子受信手段１０５は情報元情報とＵＲＬとを受信すると、これらを上記対応付手段１０７に転送する。対応付手段１０７は情報元情報とＵＲＬとを受信すると、上記のようにして受信したＵＲＬを指定するキーを入力するための入力欄５０１を表示する。上記対応付手段１０７は入力欄５０１にキーが入力されると、受信した情報元情報とＵＲＬと入力欄５０１に入力されたキーとを対応付けて情報元識別子記憶手段１０１に記憶させるようにする。
【０１１４】
尚、情報元情報はＵＲＬと入力欄５０１に入力されたキーと対応付けて情報元情報記憶手段１１９に記憶するようにしてもよい。
【０１１５】
尚、リモコン１００に備えられたキーの種類や、キーの形状は図面に記載したものと異なっていてもよい。またリモコン１００に備えられたキーの操作はシングルクリック、又はダブルクリックでも良く、またキーはボタン形式でも、レバーのように所定の方向に傾け向けて指示を入力するようなものであってもよい。
【０１１６】
また、被制御装置の種類はテレビに限られず、インターネット接続機能が備わっている装置であればよい。
【産業上の利用可能性】
【０１１７】
本発明にかかるリモコンは、簡単なキー操作で長い文字列からなるＵＲＬ等のデータをテレビ等の被制御装置に対し指定することができる。
【図面の簡単な説明】
【０１１８】
【図１】本発明のリモコンの概略機能ブロック図
【図２】実施の形態１における本発明のリモコンの概略機能ブロック図
【図３】リモコンの外観図
【図４】データ送信条件情報の入力画面を示した図
【図５】対応関係情報の入力画面を示した図
【図６】情報元識別子記憶手段の記憶内容を示した図
【図７】テレビ外観図と機能ブロック図
【図８】データ送信条件情報及び対応関係情報の作成の選択をする画面を示し図
【図９】対応関係情報を示した図
【符号の説明】
【０１１９】
１００  リモコン
１０１  情報識別子記憶手段
１０２  アクセス命令記憶手段
１０３  データ送信条件情報記憶手段
１０４  データ送信手段
１０５  情報識別子受信手段
１０６  情報識別子格納手段
３２０  表示手段
３２１  取得手段
３２３  データ送信手段
【図１】
2006187018.tif 000003
【図２】
2006187018.tif 000004
【図３】
2006187018.tif 000005
【図４】
2006187018.tif 000006
【図５】
2006187018.tif 000007
【図６】
2006187018.tif 000008
【図７】
2006187018.tif 000009
【図８】
2006187018.tif 000010
【図９】
2006187018.tif 000011
【手続補正書】
【提出日】平成18年4月18日(2006.4.18)
【手続補正１】
【補正対象書類名】特許請求の範囲
【補正対象項目名】全文
【補正方法】変更
【補正の内容】
【特許請求の範囲】
【請求項１】
キーと、
情報元を識別する情報元識別子に対応させるキーの指定を受け付け、その指定されたキーを当該情報元識別子に対応付ける対応関係情報を生成する対応付手段と、
前記情報元識別子と、前記対応付手段により生成された対応関係情報を記憶している情報元識別子記憶手段と、
情報元にアクセスする命令であるアクセス命令を記憶しているアクセス命令記憶手段と、
キーの入力があると、そのキーに対応する前記情報元識別子記憶手段に記憶している情報元識別子と、前記アクセス命令記憶手段に記憶しているアクセス命令とを被制御装置に送信するデータ送信手段とを
備えたことを特徴とするリモコン。
【請求項２】
前記対応付手段が、外部から情報元識別子が入力されると、当該情報元識別子に対応させるキーの指定を受け付け、その指定されたキーを前記情報元識別子に対応付ける対応関係情報を生成する請求項１記載のリモコン。
【請求項３】
情報元識別子の取得要求を被制御装置に送信し、その情報元識別子を被制御装置から受信する情報元識別子受信手段をさらに備え、
前記対応付手段が、前記情報元識別子受信手段に前記情報元識別子が受信されると、キーの指定を受け付け、その指定されたキーを当該情報元識別子に対応付ける対応関係情報を生成する請求項１記載のリモコン。
【請求項４】
表示画面と、
前記情報元識別子記憶手段から情報元識別子を取得すると共に、取得した情報元識別子を前記表示画面に表示する表示手段とをさらに備えた請求項３記載のリモコン。
【請求項５】
前記情報元識別子記憶手段が、前記情報元識別子に対応付けて情報元の補足情報も記憶し、
前記表示手段が、前記情報元識別子記憶手段から前記補足情報を取得すると共に、取得した補足情報を前記表示画面に表示する請求項４記載のリモコン。
【請求項６】
前記表示手段が、取得した補足情報の表示命令を被制御装置に送信する請求項５記載のリモコン。
【請求項７】
前記情報元識別子とアクセス命令とを送信する条件の情報であるデータ送信条件情報を記憶しているデータ送信条件情報記憶手段をさらに備え、
前記対応付手段が、前記情報元識別子受信手段に前記情報元識別子が受信されると、前記情報元識別子とアクセス命令とを送信する条件の情報であるデータ送信条件情報の入力を受け付け、
前記データ送信条件情報記憶手段が、前記受信した情報元識別子と前記入力されたデータ送信条件情報を記憶し、
前記データ送信手段が、前記情報元識別子記憶手段に記憶している情報元識別子と、前記アクセス命令記憶手段に記憶しているアクセス命令とを、前記データ送信条件情報に基づいて被制御装置に送信する請求項３記載のリモコン。
【請求項８】
表示画面を備え、
前記対応付手段が、前記情報元識別子記憶手段に記憶されている情報元識別子の一覧を前記表示画面に表示し、前記表示画面に表示された情報元識別子が選択されたとき、キーの指定を受け付け、その指定されたキーを当該情報元識別子に対応付ける対応関係情報を生成する請求項１記載のリモコン。
【手続補正２】
【補正対象書類名】明細書
【補正対象項目名】全文
【補正方法】変更
【補正の内容】
【発明の詳細な説明】
【技術分野】
【０００１】
本発明は、テレビ等を操作するのに用いるリモコンに関する。
【背景技術】
【０００２】
近年、テレビのデジタル放送が開始され、このデジタル放送は、映像・音声の電波以外にデータ放送用の電波も送出し、テレビに“インタラクティブ性”を持たせている。
【０００３】
例えば、セット・トップ・ボックスを搭載したテレビでは、インターネットに接続することができ、ユーザはテレビを利用してネットサーフィンを楽しむことができるようになっている。
【０００４】
ユーザがテレビを利用してネットサーフィンを行う場合、まずユーザは閲覧したいＷｅｂページのＵＲＬ（Uniform Resource Locator）をテレビのリモコン等に入力し、入力したＵＲＬをテレビに送信する。一方、テレビはリモコンから送信されたＵＲＬを受信すると、受信したＵＲＬが割り当てられているＷｅｂページにアクセスして、Ｗｅｂページの情報をテレビ画面に表示するようになっている。
【発明の開示】
【発明が解決しようとする課題】
【０００５】
上記のようにユーザはテレビにて所定のＷｅｂページを閲覧するには、閲覧したいＷｅｂページのＵＲＬをリモコン等に入力する必要がある。
【０００６】
しかし、ＵＲＬは多数の文字等から構成され、ユーザにとってＵＲＬをリモコンに入力する作業は面倒なことである。
【０００７】
また、一般的にリモコンに備えられているキーの数は少なく、キーボードのように各アルファベットに対応するキーが備えられているものでもない。そのため、リモコンに設けられたキーでＵＲＬを入力するには非常に複雑なキー操作が必要となる。
【０００８】
更に、インターネットが発達した現在では膨大な数のＵＲＬが存在し、ユーザは各Ｗｅｂページに対応したＵＲＬを覚えることは現実的に不可能である。そのために、ユーザは所望のＷｅｂページを閲覧する際には、当該ＷｅｂページのＵＲＬを調べるという面倒な作業をしなければならない。
【０００９】
本発明は、上記従来の事情に基づいて提案されたものであって、簡単なキー操作で長い文字列からなるＵＲＬ等のデータを指定することができるリモコンを提供することを目的とする。
【課題を解決するための手段】
【００１０】
本発明は、上記目的を達成するために以下の手段を採用している。即ち、本発明のリモコン１００は図１に示すように、情報の情報元を識別する情報元識別子を記憶している情報元識別子記憶手段１０１と、情報元識別子にて識別される情報の情報元にアクセスする命令であるアクセス命令を記憶しているアクセス命令記憶手段１０２とを備えている。
【００１１】
上記情報元識別子とは、例えばＵＲＬやＩＰアドレス（Internet Protocol Address）等、Ｗｅｂページを特定するための識別子である。
【００１２】
更に、リモコン１００にはデータ送信条件情報記憶手段１０３が備えられ、該データ送信条件情報記憶手段１０３には上記情報元識別子と上記アクセス命令とを被制御装置２００に送信する条件の情報であるデータ送信条件情報が記憶されている。
【００１３】
前記データ送信条件情報がデータ送信条件情報記憶手段１０３に記憶されている状態で、リモコン１００の使用環境が当該データ送信条件を満たすと、前記情報元識別子とアクセス命令とはデータ送信手段１０４によって被制御装置２００に送信されるようになる。
【００１４】
上記被制御装置２００は上記データ送信手段１０４から送信された情報元識別子とアクセス命令とを受信すると、受信した情報元識別子にて識別される情報元にアクセスし、情報元から情報を取得して、情報を被制御装置２００の表示画面に表示するようになる。
【００１５】
以上のように、リモコン１００の使用環境が上記データ送信条件情報を満たすと、ユーザはリモコンの操作を行わなくても、被制御装置２００の表示画面には情報元識別子にて識別される情報元から取得された情報が表示されるようになる。
【００１６】
また、上記情報元識別子記憶手段１０１には、情報元識別子と当該情報元識別子を指定するためのキーとの対応関係である対応関係情報を記憶する。
【００１７】
このように上記情報元識別子記憶手段１０１に対応関係情報が記憶されている状態で、対応関係情報に含まれている所定のキーが操作されると、上記データ送信手段１０４は操作されたキーと対応する情報元識別子を上記対応関係情報を参照して上記情報元識別子記憶手段１０１から取得する。更に、データ送信手段１０４は前記アクセス命令記憶手段１０２からアクセス命令を取得して、情報元識別子とアクセス命令とを被制御装置２００に送信するようになる。
【００１８】
従って、ユーザは対応関係情報に含まれるキーを操作することで、所定の情報元識別子をアクセス命令とともに上記被制御装置に送信することができる。
【００１９】
また、上記情報元識別子は被制御装置２００からリモコンに送信される。この場合、被制御装置２００から送信された情報元識別子を情報元識別子受信手段１０５が受信すると、ユーザは当該情報元識別子に対応する上記データ送信条件情報を設定することができる。
【００２０】
ここでユーザにて設定されたデータ送信条件情報は情報元識別子と対応付けられて上記データ送信条件情報記憶手段１０３に記憶され、一方、情報元識別子を情報元識別子格納手段１０６にてリモコン内の上記情報元識別子記憶手段１０１に格納する。
【００２１】
ここで、リモコン１００の使用環境がユーザに設定されたデータ送信条件を満たすと、上記データ送信手段１０４は上記情報元識別子格納手段１０６にて格納された情報元識別子と、アクセス命令記憶手段１０２からアクセス命令とを取得し、取得した情報元識別子とアクセス命令とを被制御装置２００に送信する。
【００２２】
また、ユーザは情報元識別子受信手段１０５が情報元識別子を受信すると、データ送信条件情報を設定する作業とは別に、当該情報元識別子と当該情報元識別子を指定するためのキーとからなる対応関係情報を作成することもできる。
【００２３】
ユーザが対応関係情報を作成すると、対応関係情報は上記情報元識別子格納手段１０６にてリモコン１００内に格納される。この対応関係情報が上記情報元識別子格納手段１０６にて格納された後に、ユーザが対応関係情報に含まれるキーを操作すると、上記データ送信手段１０４は操作されたキーと対応する情報元識別子をリモコン１００内に格納された上記対応関係情報を参照して、操作されたキーと対応する情報元識別子を取得する。続いて、上記データ送信手段１０４は、上記アクセス命令記憶手段１０２からアクセス命令を取得して、情報元識別子とアクセス命令とを被制御装置２００に送信するようになる。
【発明の効果】
【００２４】
以上の構成を採用することにより、記憶手段にＵＲＬと所定のキー操作とを対応付けて記憶させておくで、ユーザは簡単なキー操作を行うだけで、所望のＵＲＬを指定することができるようになる。
【発明を実施するための最良の形態】
【００２５】
本発明のリモコン１００の被制御装置２００がインターネット接続機能を備えたテレビ３００である場合、リモコン１００からテレビ３００にＵＲＬ等の情報元識別子と、ＵＲＬにて識別されるＷｅｂサイトにテレビ３００をアクセスさせるアクセス命令とが送信されると、テレビ３００はＵＲＬに基づいてＷｅｂサイトにアクセスする。テレビ３００はＷｅｂサイトにアクセスすると、当該Ｗｅｂサイトのコンテンツを表示画面に表示するようになる。
【００２６】
本発明のリモコン１００は、以下に示すように簡単な操作を行うだけで、ユーザは所望の情報元識別子を指定することができるようになっている。
【００２７】
図２に示すように、リモコン１００にはＵＲＬを記憶している情報元識別子記憶手段１０１とアクセス命令を記憶しているアクセス命令記憶手段１０２とが備えられている。情報元識別子記憶手段１０１にはＩＰアドレス等のＵＲＬ以外の情報元識別子を記憶することもあるが、本実施の形態においては説明のためにＵＲＬのみが記憶されていることとする。
【００２８】
また、リモコン１００には情報元識別子記憶手段１０１に記憶されているＵＲＬをテレビ３００に送信するための条件であるデータ送信条件情報を記憶しているデータ送信条件情報記憶手段１０３が備えられている。このデータ送信条件情報はユーザがＵＲＬ毎に設定できるようになっている。
【００２９】
このデータ送信条件情報の設定は、ユーザは図３に示すようにリモコン１００に設けられたモード変換キー１１３を１回押下する。すると対応付手段１０７は、図４（ａ）に示すようにリモコン１００の表示画面１１１に前記情報元識別子記憶手段１０１に記憶されているＵＲＬを取得し、取得したＵＲＬの一覧とポインタ１１８とを表示する。この状態でユーザはカーソルキー１１２を操作して、表示画面１１１に表示されているポインタ１１８をデータ送信条件情報の設定を行うＵＲＬ４０１が表示されている位置に移動させ、決定キー１１４を押下する。
【００３０】
決定キー１１４が押下されると、上記対応付手段１０７はＵＲＬ４０１がデータ送信条件情報の設定の対象となるＵＲＬと認識する。
【００３１】
上記対応付手段１０７はデータ送信条件情報の設定の対象となるＵＲＬと認識すると、図４（ｂ）に示すように表示画面１１１にデータ送信条件情報を入力する画面を表示する。ここでユーザはデータ送信条件情報の時間を入力することができる時間入力欄１２１にカーソルキー１１２を用いてポインタ１１８を移動させ、決定キー１１４を押下する。
【００３２】
ここで決定キー１１４が押下されると、テンキー１１５にてデータ送信条件情報の時間が入力できる状態となり、ここでユーザがテンキー１１５を「０・７・０・０」の順に押下すると、時間入力欄１２１に「７：００」と表示される。
【００３３】
時間入力欄１２１に時間が表示された後、ユーザがデータ送信条件情報の日付を指定することができる日付入力欄１２２にポインタ１１８を移動させて決定キー１１４を押下すると、データ送信条件情報の日付を入力することができる状態となる。ここで、ユーザがテンキー１１５を用いてデータ送信条件の日付を入力し、決定キー１１４を押下する。
【００３４】
ユーザはデータ送信条件情報の日付を入力すると、設定終了ボタン１２４が表示されている位置にポインタ１１８を移動させて決定キー１１４を押下する。また、データ送信条件情報を毎日午前７時とする場合には、例えば日付入力欄１２２に日付を入力しないで設定終了ボタン１２４が表示されている位置にポインタ１１８を移動させて決定キー１１４を押下するようにする。
【００３５】
上記対応付手段１０７はポインタ１１８が設定終了ボタン１２４が表示されている位置にある状態で決定キー１１４が押下されると、データ送信条件情報の入力が完了したものとして認識する。
【００３６】
上記対応付手段１０７は、データ送信条件情報の入力が完了したものとして認識すると、データ送信条件情報の設定の対象となるＵＲＬ４０１が記憶されている領域と毎日午前７時とを対応付けて上記データ送信条件情報記憶手段１０３に設定する。
【００３７】
このように上記データ送信条件情報記憶手段１０３に記憶されたデータ送信条件情報は、データ送信手段１０４が例えば常時又は任意の間隔で参照し、リモコン１００の使用環境を満たすデータ送信条件情報があるか否かのチェックを行っている。
【００３８】
例えば上記送信条件情報記憶手段１０３に毎日午前７時というデータ送信条件情報が記憶されると、上記データ送信手段１０４は午前７時になると当該データ送信条件情報に付加されているＵＲＬが記憶されている領域を認識し、ＵＲＬを取得する。
【００３９】
更に、上記データ送信手段１０４はリモコン１００の使用環境がデータ送信条件情報を満たすとＵＲＬを取得する処理と別に、上記アクセス命令記憶手段１０２から上記アクセス命令を取得する。
【００４０】
上記データ送信手段１０４はＵＲＬとアクセス命令との両方を取得すると、取得したＵＲＬとアクセス命令とをテレビ３００に送信する。
【００４１】
テレビ３００はリモコン１００から送信されたＵＲＬとアクセス命令とを受信すると、受信したＵＲＬにて識別されるＷｅｂサイトにアクセスし、Ｗｅｂサイトの画像等のコンテンツを情報元情報として取得し、表示画面２０１に表示する。
【００４２】
以上のように、上記データ送信条件記憶手段１０３にデータ送信条件情報を設定しておくことで、リモコン１００の使用環境がデータ送信条件情報を満たすとユーザはリモコン
１００を操作しなくても、テレビ３００の表示画面にＷｅｂサイトのコンテンツが表示されるようになる。
【００４３】
次に、ユーザが簡単なリモコン操作を行うことで、情報元識別子記憶手段１０１に記憶されているＵＲＬとアクセス命令記憶手段１０２に記憶されている上記アクセス命令とがテレビ３００に送信される場合について説明する。
【００４４】
まず、ユーザは上記モード変換キー１１３を２回つづけて押下すると、上記対応付手段１０７は図４（ａ）に示すように上記情報元識別子記憶手段１０１に記憶されているＵＲＬとポインタ１１８とを上記表示画面１１１に表示する。
【００４５】
表示画面１１１にＵＲＬとポインタ１１８とが表示されている状態で、ユーザはカーソルキー１１２を操作して、所定のＵＲＬが表示されている領域にポインタ１１８を移動させ、決定キー１１４を押下する。
【００４６】
決定キー１１４が押下されると、図５に示すように上記対応付手段１０７は決定キー１１４が押下された際に、ポインタ１１８が指し示していたＵＲＬを指定するためのキーを入力する入力欄５０１を表示する。
【００４７】
ここでユーザは例えばテンキー１１５の「０」を押下して入力欄５０１に「０」を入力して、決定キー１１４を押下する。決定キーが押下されると、上記対応付手段１０７は図４（ａ）に示す画面にて選択したＵＲＬと入力欄５０１に入力された「０」とを対応付けた対応関係情報６０１を作成し、図６に示すように該対応関係情報６０１を上記情報元識別子記憶手段１０１に記憶させる。
【００４８】
この後、ユーザが例えば図３に示す短縮キー１１６を押下すると、上記データ送信手段１０４が起動する。続いてユーザが対応関係情報に含まれる所定のキー、例えば「０」を押下すると、上記データ送信手段１０４は上記情報元識別子記憶手段１０１に記憶されている対応関係情報を参照して、「０」と対応付けて記憶されているＵＲＬを検索する。データ送信手段１０４は該検索に該当するＵＲＬを上記情報元識別子記憶手段１０１から取得する。
【００４９】
また、上記データ送信手段１０４は、短縮キー１１６が入力されると、ＵＲＬを取得する処理とは別に、上記アクセス命令記憶手段１０２からアクセス命令を取得する。
【００５０】
データ送信手段１０４は情報元識別子とアクセス命令とを取得すると、取得した情報元識別子とアクセス命令とをテレビ３００に送信する。
【００５１】
テレビ３００はリモコン１００から送信されたＵＲＬとアクセス命令とを受信すると、受信したＵＲＬにて識別されるＷｅｂサイトにアクセスし、Ｗｅｂサイトから情報元情報を取得し、表示画面２０１に情報元情報を表示するようになる。
【００５２】
以上のようにユーザは、短縮キー１１６と入力欄５０１に入力したキー（ここでは「０」）を押下するだけで、所定のＵＲＬを指定できるようになる。
【００５３】
尚、上記情報元識別子記憶手段１０１はリモコン１００に内蔵されている不揮発性メモリからであっても、またリモコン１００に着脱可能である不揮発性メモリであってもよい。ＵＲＬの入力命令を１つのキーを割り当てて行っているが、例えばカーソルキー１１２のようなキーを複数回操作することにより入力される命令を、１つのキーを割り当てて行えるようにしてもよい。
【００５４】
ところで、以上では予め情報元識別子記憶手段１０１に記憶されているＵＲＬのデータ送信条件情報及び対応関係情報を作成する場合について説明したが、ＵＲＬが外部からリモコン１００に入力されると、ユーザが当該ＵＲＬのデータ送信条件情報及び対応関係情報を作成することができるようにしてもよい。
【００５５】
ＵＲＬが外部から入力される場合としては、例えばユーザがテレビ３００に表示されているＵＲＬの取得要求をテレビ３００に送信することで、テレビ３００からＵＲＬが送信される場合がある。
【００５６】
具体的には、テレビに番組が表示されている状態で、ユーザがリモコン１００の所定のキー、例えばカーソルキー１１２が押下すると、リモコン１００はテレビ３００にポインタ３０２の表示を指示する信号を送信する。
【００５７】
図７（ａ）に示すようにテレビ３００の表示制御手段３２２はリモコンからの信号を受け取ると、テレビ画面の所定の位置にポインタ３０２を表示する。このポインタ３０２はリモコン１００のカーソルキー１１２が押下されることでテレビ画面上を動くようになっている。
【００５８】
ここでテレビ３００には番組と共に例えばスポーツの試合結果速報や天気予報等を提供するいくつかのＷｅｂサイトのＵＲＬが表示されている。ここでユーザは天気予報を提供するＷｅｂサイトを閲覧したい場合、カーソルキー１１２を操作して、ＵＲＬ３１３が表示されている領域にポインタ３０２を合わせて決定キー１１４を押下する。
【００５９】
決定キー１１４が押下されると、リモコン１００に備えられたデータ送信手段１０４はテレビ３００に対して、ポインタ３０２が指し示している領域に表示されているＵＲＬの取得要求と、該取得要求の対象となるＵＲＬが割当てられたＷｅｂサイトに対してのアクセス命令とを送信する。
【００６０】
テレビ３００に備えられた表示制御手段３２２は、リモコン１００から送信されたＵＲＬの取得要求とアクセス命令とを受信すると、ポインタ３０２が指し示している領域に表示されている内容、即ちここではＵＲＬ３１３を認識する。
【００６１】
次に表示制御手段３２２はＵＲＬ３１３を認識すると、取得手段３２１に対してＵＲＬ３１３が割り当てられているＷｅｂサイトにアクセスするように指示する。取得手段３２１はＵＲＬ３１３が割り当てられたＷｅｂサイトにアクセスすると、当該Ｗｅｂサイトが提供するコンテンツ（以下、「情報元情報」という）を取得する。
【００６２】
取得手段３２１は取得した情報元情報を表示制御手段３２２に転送し、表示制御手段３２２は受け取った情報元情報を表示手段３２０に転送し、表示手段３２０に情報元識別子をテレビ画面に表示するよう指示する。
【００６３】
これによりユーザは、天気予報を提供するＷｅｂサイトをテレビ３００にて見ることができる。
【００６４】
また、表示制御手段３２２はテレビ画面に情報元情報を表示する処理とは別に、リモコンからのＵＲＬの取得要求に基づいてＵＲＬ３１３を情報元識別子送信手段３２３に転送
する。該情報元識別子送信手段３２３はＵＲＬ３１３を表示制御手段３２２から受け取ると、ＵＲＬ３１３をリモコン１００に送信する。
【００６５】
リモコン１００はテレビ３００から送信されたＵＲＬ３１３を、情報元識別子受信手段１０５にて受信する。そして、情報元識別子受信手段１０５が受信したＵＲＬ３１３を、情報元識別子格納手段１０６に格納する。更に、上記情報元識別子受信手段１０５は情報元識別子格納手段１０６にＵＲＬを格納すると、上記対応付手段１０７に格納した旨を通知する。上記対応付手段１０７は該通知があると、図８（ａ）に示すように表示画面１１１に情報元識別子格納手段１０６が格納したＵＲＬ３１３のデータ送信条件情報を作成するか否かをユーザに選択させる画面を表示する。
【００６６】
ここでユーザがデータ送信条件情報を作成することを選択すると、上記対応付手段１０７は表示画面１１１にデータ送信条件情報を入力するための表示を表示し、ユーザは既述のようにしてデータ送信条件情報を入力する。
【００６７】
対応付手段１０７は上記情報元識別子格納手段１０６が格納したＵＲＬ３１３を受け取ると、ＵＲＬ３１３のデータ送信条件情報と格納したＵＲＬ３１３とを対応付けて上記データ送信条件情報記憶手段１０３に登録する。
【００６８】
このようにして登録されたＵＲＬ３１３のデータ送信条件情報はデータ送信手段１０４にて参照される。リモコン１００の使用環境が当該データ送信条件情報を満たすと、データ送信手段１０４は上記のようにしてテレビ３００にＵＲＬ３１３とアクセス命令とを送信するようになる。
【００６９】
また、データ送信条件情報の入力が完了、又は図８（ａ）に示す画面が表示されている状態でユーザがデータ送信条件情報の作成を拒否すると、上記対応付手段１０７は図８（ｂ）に示すように表示画面１１１にＵＲＬ３１３の対応関係情報を作成するか否かをユーザに選択させる画面を表示する。
【００７０】
ここでユーザが対応関係情報を作成することを選択すると、上記対応付手段１０７は図５に示すように表示画面１１１にＵＲＬ３１３を指定するためのキーを入力する入力欄５０１を表示する。ここで、ユーザは既述のようにして例えば「１」を入力し、決定キー１１４を押下する。
【００７１】
決定キー１１４が押下されると、上記対応付手段１０７は対応関係情報が入力されたことを上記情報元識別子格納手段１０６に通知する。上記情報元識別子格納手段１０６は該通知を受け取ると、ＵＲＬ３１３と入力欄５０１にて入力されたキー、ここでは「１」とを対応づけた対応関係情報を上記情報元識別子記憶手段１０１等のリモコン内に備えられた不揮発性メモリ等に格納する。
【００７２】
このように、テレビ３００から送信されたＵＲＬ３１３の対応関係情報が格納された後に、ユーザは短縮キー１１６を押下し、更にテンキー１１５「１」を押下すると、上記データ送信手段１０４はリモコン１００内に備えられた不揮発性メモリ等にある対応関係情報から「１」に対応するＵＲＬを検索する。
【００７３】
データ送信手段１０４は検索に該当するＵＲＬ、即ちＵＲＬ３１３をリモコン１００内に備えられた不揮発性メモリ等から検出すると、アクセス命令記憶手段１０２からアクセス命令を取得し、ＵＲＬ３１３とアクセス命令とをテレビ３００に送信する。
【００７４】
以上のように、ユーザはＵＲＬがリモコン１００に入力されたとき、当該ＵＲＬのデー
タ送信条件情報や対応関係情報を作成することができる。
【００７５】
先の例では、上記対応付手段１０７は上記情報元識別子受信手段１０５にＵＲＬが受信される度に、表示画面１１１にデータ送信条件情報及び対応関係情報を作成するか否かをユーザに選択させる画面を表示していた。
【００７６】
しかし、稀に閲覧するようなＷｅｂサイトのＵＲＬに対して、データ送信条件情報や対応関係情報を作成するメリットはほとんどない。
【００７７】
そこで、データ送信条件情報及び対応関係情報を作成する対象となるＵＲＬは、ユーザが頻繁に閲覧するサイトのＵＲＬに限定するようにする。
【００７８】
この場合、上記のようにテレビ３００から送信されたＵＲＬを情報元識別子受信手段１０５が受信した受信回数をＵＲＬ毎にカウントするカウント手段１０８を設けておくようにする。
【００７９】
このカウント手段１０８は情報元識別子受信手段１０５にて受信されたＵＲＬを認識して、ＵＲＬ毎の受信回数をカウントするようになっている。
【００８０】
カウント手段１０８は受信回数が一定数以上となったＵＲＬを上記対応付手段１０７に転送する。上記対応付手段１０７はＵＲＬを受け取ると、既述のようにして受け取ったＵＲＬのデータ送信条件情報及び対応関係情報を作成する手順に移行するようになる。
【００８１】
また、カウント手段１０８はＵＲＬが上記情報元識別子受信手段１０５に受信されたＵＲＬ毎の受信回数と共にＵＲＬが受信された受信日時を記憶し、所定の期間内、例えば過去１箇月の間に上記情報元識別子受信手段１０５に受信された受信回数が一定数以上になったＵＲＬのみを上記対応付手段１０７に送信するようにしてもよい。
【００８２】
このようにユーザが頻繁に閲覧するＷｅｂページのＵＲＬのみが対応付手段１０７に転送されるため、対応付手段１０７はユーザが稀しか閲覧しないＷｅｂサイトのＵＲＬに対するデータ送信条件情報及び対応関係情報の作成をするか否かを選択するための表示を行うことがなくなる。
【００８３】
また、リモコン１００は複数のユーザで共有することがあり、その場合、各キーとＵＲＬとの対応関係は、ユーザ毎に作成することができるようにしても良い。
【００８４】
その場合、リモコン１００に現在リモコンを使用しているユーザを識別するために、例えばリモコン１００の所定位置に指紋検出手段（図示しない）を備えるようにしておく。
【００８５】
上記対応付手段１０７は上記のように対応関係情報を作成する際に、図５に示す画面を表示する直前に、リモコン１００のユーザに対して指紋検出手段に指を押し当てるよう促す表示を行う。
【００８６】
ユーザは表示に従ってリモコン１００に備えられた指紋検出手段に指を押し当てて、指紋検出手段が指紋を検出したことをユーザ識別情報取得部１１０が検知すると、ユーザ識別情報取得部１１０は上記対応付手段１０７に対して図５に示す入力欄５０１を表示画面１１１に表示するよう指示する。
【００８７】
ユーザが上記のようにして入力欄５０１にキーを入力すると、対応付手段１０７は図９に示すように、入力欄５０１に入力されたキー１００２とＵＲＬ１００１とを対応付けた対応関係情報１００３を作成すると共に該対応関係情報１００３に指紋の形状の情報１００４を付加するようにする。
【００８８】
上記対応付手段１０７は対応関係情報１００３の作成の対象となっているＵＲＬ１００１が上記情報元識別子記憶手段１０１に予め記憶されているＵＲＬである場合、指紋の形状の情報１００４が付加された対応関係情報１００３を上記情報元識別子記憶手段１０１に記憶させるようにする。
【００８９】
また、対応関係情報１００３の作成の対象となるＵＲＬがテレビ３００から送信されたＵＲＬである場合は、上記対応付手段１０７は指紋の形状の情報１００４が付加された対応関係情報１００３を上記情報元識別子格納手段１０６に転送し、情報元識別子格納手段１０６がリモコン１００内に備えられた不揮発性メモリに格納するようにする。
【００９０】
以上のように、指紋の形状の情報が付加された対応関係情報がリモコン１００内に記憶されていると、リモコン１００の各ユーザはリモコン１００を使用する際に、まず上記指紋検出手段が指紋を認識できるように指紋を検出する位置に指を押し当てる。
【００９１】
ここでユーザ識別情報取得部１１０は指紋検出手段が指紋を検出したことを検知すると、ユーザ識別情報取得部１１０は指紋検出手段から指紋の形状の情報を取得し、切換手段１０９に指紋の形状の情報を転送する。
【００９２】
切換手段１０９は指紋の形状の情報を受け取ると、受け取った指紋の形状の情報と一致する指紋の形状の情報１００４が付加された対応関係情報を検索し、この検索に該当した対応関係情報を有効対応関係情報と認識する。
【００９３】
切換手段１０９が有効対応関係情報を認識した後に、ユーザが短縮キー１１６を押下し、有効対応関係情報に含まれるキー、例えば「３」を押下すると、上記データ送信手段１０４は有効対応関係情報の中から「３」と対応付けられているＵＲＬを取得する。
【００９４】
上記データ送信手段１０４はＵＲＬを取得すると、上記アクセス命令記憶手段１０２からアクセス命令を取得し、取得したＵＲＬとアクセス命令とをテレビ３００に送信するようになる。
【００９５】
尚上記ユーザ情報取得手段１０９は指紋でリモコン１００を使用するユーザを識別するようにしているが、識別方法は、声紋等を用いてもよいことは言うまでもない。
【００９６】
上述のようにして対応関係情報を作成すると、ユーザは自分が入力欄５０１に入力したキーを押下することで、所定のＵＲＬを指定することができるようになる。しかし、多数の対応関係情報を作成すると、ユーザは所定ＵＲＬがどのキーと対応しているのか把握することが困難となる。
【００９７】
そこで、図６に示す対応関係情報を表示画面１１１に表示する機能をリモコン１００に設けるようにしておく。
【００９８】
このような表示を表示画面１１１に表示させる手順としては、例えば、まずユーザはモード変換キー１１３を３回押下し、続いて決定キー１１４を押下する。すると、リモコン
１００に設けられた表示手段１２１は上記情報元識別子記憶手段１０１に記憶されている対応関係情報を取得して、表示画面１１１に対応関係情報を表す一覧表を表示する。
【００９９】
このような一覧表を表示画面１１１に表示することで、ユーザは表示画面１１１を参照するとＵＲＬとキーとの対応関係を確認することができる。
【０１００】
尚、表示手段１２１はこのような表示をリモコン１００の表示画面１１１に表示するだけでなく、テレビ３００に表示するようにしてもよい。その場合、表示手段１２１は上記情報元識別子記憶手段１０１から対応関係情報を取得すると、表示画面１１１に一覧表を表示すると共に、テレビ３００に一覧表の表示命令を送信するようにする。
【０１０１】
又、表示手段１２１にて表示画面１１１に表示される内容は、ＵＲＬとキー操作以外に、例えば当該ＵＲＬが割り当てられているＷｅｂサイトの情報元情報や、当該ＵＲＬが割り当てられているＷｅｂサイトの内容を連想することができる補足情報であってもよい。
【０１０２】
上記補足情報とは例えばＷｅｂページが提供する情報の内容やＷｅｂページの管理者等の名称等である。
【０１０３】
この補足情報が表示手段１２１にて表示されるためには予め上記情報元識別子記憶手段１０１にて補足情報とＵＲＬとが対応付けられて記憶されていることが必要である。そこで、補足情報とＵＲＬとの対応付けは、例えば上記対応付手段１０７が行うようにする。
【０１０４】
即ち、上記対応付手段１０７は図５に示す入力欄５０１を表示する画面において、補足情報を入力する補足情報入力欄を表示するようにし、ユーザはこの補足情報入力欄に補足情報を入力することができる。
【０１０５】
ここで入力された補足情報は、上記対応付手段１０７によって入力欄５０１に入力されたキーと補足情報の付与の対象となるＵＲＬとに対応付けられて、情報元識別子記憶手段１０１に記憶されるようになる。
【０１０６】
また、情報元情報が表示手段１２１にて表示されるようにする場合にも、予め上記情報元識別子記憶手段１０１に情報元情報とＵＲＬとが対応付けられて記憶されていることが必要である。
【０１０７】
そこで、予め補足情報とＵＲＬとを対応付けて上記情報元識別子記憶手段１０１に記憶させるために、例えば、データ送信手段１０４がテレビ３００に対して、ＵＲＬの取得要求と、アクセス命令とを送信する際に、データ送信手段１０４はＵＲＬの取得要求の対象となるＷｅｂサイトの情報元情報取得要求を送信するようにする。
【０１０８】
テレビ３００に備えられた表示制御手段３２２は、リモコンから送信されたＵＲＬの取得要求と、アクセス命令と情報元情報取得要求を受信すると、まず上記のようにしてＵＲＬ３１３を認識する。
【０１０９】
次に表示制御手段３２２は取得手段３２１にＵＲＬ３１３を用いてＷｅｂサイトにアクセスするように指示し、取得手段３２１は表示制御手段３２２の指示に従ってＷｅｂサイトにアクセスする。取得手段３２１はＷｅｂサイトにアクセスすると、当該Ｗｅｂの情報元情報を取得して表示制御手段３２２に転送する。
【０１１０】
表示制御手段３２２は情報元情報を受け取ると、情報元情報をテレビ画面に表示すると共に、リモコン１００にＵＲＬと情報元情報を転送する。
【０１１１】
情報元識別子受信手段１０５は情報元情報とＵＲＬとを受信すると、これらを上記対応付手段１０７に転送する。対応付手段１０７は情報元情報とＵＲＬとを受信すると、上記のようにして受信したＵＲＬを指定するキーを入力するための入力欄５０１を表示する。上記対応付手段１０７は入力欄５０１にキーが入力されると、受信した情報元情報とＵＲＬと入力欄５０１に入力されたキーとを対応付けて情報元識別子記憶手段１０１に記憶させるようにする。
【０１１２】
尚、情報元情報はＵＲＬと入力欄５０１に入力されたキーと対応付けて情報元情報記憶手段１１９に記憶するようにしてもよい。
【０１１３】
尚、リモコン１００に備えられたキーの種類や、キーの形状は図面に記載したものと異なっていてもよい。またリモコン１００に備えられたキーの操作はシングルクリック、又はダブルクリックでも良く、またキーはボタン形式でも、レバーのように所定の方向に傾け向けて指示を入力するようなものであってもよい。
【０１１４】
また、被制御装置の種類はテレビに限られず、インターネット接続機能が備わっている装置であればよい。
【産業上の利用可能性】
【０１１５】
本発明にかかるリモコンは、簡単なキー操作で長い文字列からなるＵＲＬ等のデータをテレビ等の被制御装置に対し指定することができる。
【図面の簡単な説明】
【０１１６】
【図１】本発明のリモコンの概略機能ブロック図
【図２】実施の形態における本発明のリモコンの概略機能ブロック図
【図３】リモコンの外観図
【図４】データ送信条件情報の入力画面を示した図
【図５】対応関係情報の入力画面を示した図
【図６】情報元識別子記憶手段の記憶内容を示した図
【図７】テレビ外観図と機能ブロック図
【図８】データ送信条件情報及び対応関係情報の作成の選択をする画面を示し図
【図９】対応関係情報を示した図
【符号の説明】
【０１１７】
１００  リモコン
１０１  情報元識別子記憶手段
１０２  アクセス命令記憶手段
１０３  データ送信条件情報記憶手段
１０４  データ送信手段
１０５  情報元識別子受信手段
１０６  情報元識別子格納手段
３２０  表示手段
３２１  取得手段
３２３  データ送信手段